(57)【要約】【課題】本体形状の制約が少なく、机等に安定して載置でき、置き時計として使用することができるとともに、置き時計として使用している時も、文字や画像により着信やメール受信を報知することができる携帯電話機等の計時情報表示手段を提供する。【解決手段】本体部と、表示部を備えた蓋部と、本体部と蓋部とを回動可能に連結し所定角度に回動された状態で固定的に保持される連結部とで構成される計時情報表示装置である。計時手段によって計時された計時情報を計時情報生成手段が生成し、本体部と蓋部とが所定の角度に開かれていることを角度検出手段が検出すると、計時情報出力手段が計時情報を表示部へ出力して時計を表示させる。本体部と蓋部とを所定の角度に開き、連結部を上に、本体部及び蓋部の連結部と反対側の端部を下にして机等の上に載置し、表示部に時計を表示させ、置き時計として利用することができる。【選択図】図５
2006105739.tif 000002
【特許請求の範囲】
【請求項１】
本体部と、表示部を備えた蓋部と、前記本体部と前記蓋部とを回動可能に連結し所定角度に回動された状態で固定的に保持される連結部とで構成される計時情報表示装置において、
計時手段と、
この計時手段によって計時された計時情報を生成する計時情報生成手段と、
前記連結部における前記本体部と前記蓋部との回動角度を検出する角度検出手段と、
この角度検出手段によって前記所定角度に回動されたことを検出すると、前記計時情報を前記表示部へ出力する計時情報出力手段と
を備えることを特徴とする計時情報表示装置。
【請求項２】
前記表示部は前記蓋部に対し着脱可能に構成され、
前記表示部の表示形態を判別する判別手段をさらに備え、
前記計時情報生成手段は、この判別手段によって判別された表示形態にしたがって計時情報を生成することを特徴とする請求項１に記載の計時情報表示装置。
【請求項３】
前記表示部は、自己を識別するための識別情報を記憶し、
前記識別情報と前記表示形態とを対応づけて記憶する表示形式記憶手段をさらに備え、
前記判別手段は、前記蓋部に表示部が装着されると、この装着された表示部より識別情報を取得することにより、表示形態を判別し、
前記計時情報生成手段は、この判別手段により判別された表示形態を前記表示形式記憶手段より読み出して計時情報を生成することを特徴とする請求項２に記載の計時情報表示装置。
【請求項４】
前記本体部の端面と前記蓋部の端面とは、前記所定角度にあるときに安定して転置されるように互いに平行に、且つ、ほぼ直線形状に形成されることを特徴とする請求項１乃至３の何れかに記載の計時情報表示装置。
【請求項５】
当該装置が転置される充電装置への転置を検出する転置検出手段をさらに備えることを特徴とする請求項１乃至４の何れかに記載の計時情報表示装置。
【請求項６】
無線通信手段をさらに備え、
前記計時手段は、この無線通信手段によって受信された時刻情報に基づいて計時することを特徴とする請求項１乃至５の何れかに記載の計時情報表示装置。
【請求項７】
前記無線通信手段による通信内容を前記表示部に表示させる第１の表示制御手段を更に備えることを特徴とする請求項６に記載の計時情報表示装置。
【請求項８】
環境情報を取得する環境情報取得手段と、
当該環境情報取得手段によって取得された環境情報を前記表示部に表示させる第２の表示制御手段を更に備えることを特徴とする請求項１乃至７の何れかに記載の計時情報表示装置。
【発明の詳細な説明】
【技術分野】
【０００１】
本発明は、折り畳み式の携帯電話機等に適用される計時情報表示装置に関する。
【背景技術】
【０００２】
従来の携帯電話機としては、表示部が設けられた蓋体と、キー入力部が設けられた本体とが、ヒンジ部で折り畳んで重ね合わせられるように接続された、いわゆる折り畳み式の携帯電話機がある。折り畳み式の携帯電話機は、通話時には開いて使用するとともに、待受け時には折り畳んだ状態で持ち歩き、あるいは蓋体が上に位置するように寝かせて適当な場所に置いておくことが一般的である。
【０００３】
また、折り畳み式の携帯電話機において、蓋体の外側面に指針表示時計を着脱可能に設け、６時側がヒンジ部側に配置したものもある。この携帯電話機の本体を下側にして机等の上に載置し、蓋体と本体とを所定の角度に開いた状態で、置き時計として使用することができる（特許文献１参照）。
【特許文献１】特開２００４−２２１８６３号公報
【発明の開示】
【発明が解決しようとする課題】
【０００４】
しかし、上記の携帯電話機においては、携帯電話機の本体を下側にして机等の上に載置するため、安定して載置するためには本体の下側面の形状を平坦にしなければならず、デザインが制約されていた。また、置き時計として使用しているときには、着信やメール受信を文字や画像で報知することができなかった。
【０００５】
本発明の課題は、本体形状の制約が少なく、机等に安定して載置でき、置き時計として使用することができるとともに、置き時計として使用している時も、文字や画像により着信やメール受信を報知することができる計時情報表示装置を提供することである。
【課題を解決するための手段】
【０００６】
以上の課題を解決するため、請求項１に記載の発明は、本体部と、表示部を備えた蓋部と、前記本体部と前記蓋部とを回動可能に連結し所定角度に回動された状態で固定的に保持される連結部とで構成される計時情報表示装置において、計時手段と、この計時手段によって計時された計時情報を生成する計時情報生成手段と、前記連結部における前記本体部と前記蓋部との回動角度を検出する角度検出手段と、この角度検出手段によって前記所定角度に回動されたことを検出すると、前記計時情報を前記表示部へ出力する計時情報出力手段とを備えることを特徴とする。
【０００７】
請求項１に記載の発明によれば、計時手段によって計時された計時情報を計時情報生成手段が生成し、角度検出手段により本体部と蓋部とが所定角度に回動されたことを検出すると、計時情報出力手段が計時情報を表示部へ出力して時計を表示させる。このため、本体部と蓋部とを所定の角度に開き、連結部を上に、本体部及び蓋部の連結部と反対側の端部を下にして机等の上に載置し、表示部に時計を表示させ、置き時計として利用することができる。
【０００８】
請求項２に記載の発明は、請求項１に記載の計時情報表示装置であって、前記表示部は前記蓋部に対し着脱可能に構成され、前記表示部の表示形態を判別する判別手段をさらに備え、前記計時情報生成手段は、この判別手段によって判別された表示形態にしたがって計時情報を生成することを特徴とする。
【０００９】
請求項２に記載の発明によれば、構成の異なる表示部を蓋部に着脱するととともに、判別手段によって蓋部に装着される表示部の表示形態を判別し、この表示形態にしたがって計時情報生成手段に計時情報を生成させるので、表示部を他のものと交換することができ、例えば表示部の時計表示をアナログ時計やデジタル時計に取り替える等のデザイン変更が可能となる。
【００１０】
請求項３に記載の発明は、請求項２に記載の計時情報表示装置であって、前記表示部は、自己を識別するための識別情報を記憶し、前記識別情報と前記表示形態とを対応づけて記憶する表示形式記憶手段をさらに備え、前記判別手段は、前記蓋部に表示部が装着されると、この装着された表示部より識別情報を取得することにより、表示形態を判別し、前記計時情報生成手段は、この判別手段により判別された表示形態を前記表示形式記憶手段より読み出して計時情報を生成することを特徴とする。
【００１１】
請求項３に記載の発明によれば、判別手段が装着された表示部から取得した識別情報を取得することにより、対応する表示形態を判別し、計時情報生成手段が表示部の表示形態に対応する表示形式の表示情報を生成することができる。
【００１２】
請求項４に記載の発明は、請求項１乃至３の何れかに記載の計時情報表示装置であって、前記本体部の端面と前記蓋部の端面とは、前記所定角度にあるときに安定して転置されるように互いに平行に、且つ、ほぼ直線形状に形成されることを特徴とする請求項１乃至３の何れかに記載の計時情報表示装置。
【００１３】
請求項４に記載の発明によれば、本体部の端面と蓋部の端面とが、互いに平行に、且つ、ほぼ直線形状に形成されているので、前記所定角度にあるときに、本体部及び蓋部の端部を下にして安定して転置することができる。
【００１４】
請求項５に記載の発明は、請求項１乃至４の何れかに記載の計時情報表示装置であって、当該装置が転置される充電装置への転置を検出する転置検出手段をさらに備えることを特徴とする。
【００１５】
請求項５に記載の発明によれば、当該装置が充電装置に載置されたことを検出し、充電処理を行うことができる。
【００１６】
請求項６に記載の発明は、請求項１乃至５の何れかに記載の計時情報表示装置であって、無線通信手段をさらに備え、前記計時手段は、この無線通信手段によって受信された時刻情報に基づいて計時することを特徴とする。
【００１７】
請求項６に記載の発明によれば、無線通信手段が外部の正確な時刻情報を受信し、時刻情報に同期して計時手段が計時するため、表示部に正確な時刻を表示することができる。
【００１８】
請求項７に記載の発明は、請求項６に記載の計時情報表示装置であって、前記無線通信手段による通信内容を前記表示部に表示させる第１の表示制御手段を更に備えることを特徴とする。
【００１９】
請求項７に記載の発明によれば、無線通信手段により送受信する文字情報や映像情報を表示部に表示することができる。
【００２０】
請求項８に記載の発明は、請求項１乃至７の何れかに記載の計時情報表示装置であって、環境情報を取得する環境情報取得手段と、当該環境情報取得手段によって取得された環境情報を前記表示部に表示させる第２の表示制御手段を更に備えることを特徴とする。
【００２１】
請求項８に記載の発明によれば、環境情報取得手段によって取得された温度や圧力等の環境情報を表示部に表示させることができる。
【発明の効果】
【００２２】
本発明によれば、本体部と蓋部とを所定の角度に開き、連結部を上に、本体部及び蓋部の連結部と反対側の端部を下にして机等の上に載置し、表示部に時計を表示させ、置き時計として利用することができる。
【発明を実施するための最良の形態】
【００２３】
以下、本発明の実施の形態について詳細に説明する。携帯電話機１は、蓋体２と、本体３とヒンジ部８とから概略構成されている。
【００２４】
図１は蓋体を開いた状態の携帯電話機１の外観図であり、（ａ）は正面図、（ｂ）は（ａ）の右側から見た側面図である。蓋体２の、折り畳んだ時に内側となる面には、図１（ａ）に示すように、音声通話用スピーカ４、メイン表示部５が設けられている。
【００２５】
本体３の、折り畳んだ時に内側となる面には、キー入力部６と、音声通話用マイク７とが設けられている。また、本体３の右側側面には、図１（ｂ）に示すように、サイドキー６０１、６０２、６０３が設けられている。
【００２６】
サイドキー６０１、６０２、６０３は、後述するハンズフリーモードにおける着信時にユーザが操作することにより、携帯電話機１をそれぞれテレビ電話モードでの通話状態、ハンズフリー通話状態、留守録応答状態にする。
【００２７】
蓋体２及び本体３は一端でヒンジ部８により折り畳めるように回動自在に接続されている。ヒンジ部８は、蓋体２と本体３とを回動自在に接続するとともに、蓋体２と本体３とが１５０°となる開状態（図１）と、０°となる閉状態（図２）と、所定の角度θとなる位置（図５）において、一度止まってクリック感を持たせるように、トルクが変化する構造（角度保持機構）を有している。
【００２８】
ここで、所定の角度θは、蓋体２と本体３とを開いた状態で、ヒンジ部８を上にして携帯電話機１を机等の水平面上に安定して載置することができるように、蓋体２及び本体３のヒンジ部８と反対側の端部の間隔が充分に開く角度であり、かつ、蓋体２が、携帯電話機１を載置する水平面上に立って載置されているように見える角度である。所定の角度θは鋭角であることが好ましく、１５〜７５°の任意の一定角度であることがより好ましい。以下の実施の形態では、θ＝１５°の場合について説明する。
【００２９】
蓋体２及び本体３を折り畳むと、メイン表示部５とキー入力部６とが面して収納される。図２は蓋体を閉じた状態の携帯電話機１の外観図であり、（ａ）は蓋体２側から見た正面図、（ｂ）は（ａ）の右側から見た側面図、（ｃ）は（ａ）のヒンジ８側から見た側面図、（ｄ）は（ａ）のヒンジ８と反対側から見た側面図、（ｅ）は本体３側から見た背面図である。
【００３０】
蓋体２の、折り畳んだ時に外側となる面には、図２（ａ）に示すように、撮像レンズ９、照明用ＬＥＤ１０、サブ表示部装着部１１が設けられている。サブ表示部装着部１１には、サブ表示モジュール１１０〜１１３、または、ダミーモジュール１１４が着脱される。
【００３１】
サブ表示モジュール１１０〜１１３としては、フルドットのモノクロ液晶表示デバイスを備えるモノクロ液晶表示モジュール１１０、フルドットあるいは固定的なセグメント（デジタル表示の場合は８の字のセグメント、アナログ表示の場合は放射線状のセグメント）で構成される二色液晶表示デバイスを備える二色液晶表示モジュール１１１、フルドットのカラー液晶表示デバイスを備えるカラー液晶表示モジュール１１２、二針式または三針式の機械式（クオーツ）のアナログ時計デバイスを備えるクオーツモジュール１１３等が挙げられる。
【００３２】
また、サブ表示モジュール１１０〜１１３には、外観には表れないモジュールＩＤ記憶部１１０１、１１１１、１１２１、１１３１がそれぞれ内蔵されている。モジュールＩＤ記憶部は、サブ表示モジュール１１０〜１１３がサブ表示部装着部１１に装着された時に、携帯電話機１に認識されるモジュールＩＤを記憶する。
【００３３】
図３はサブ表示部装着部１１へのサブ表示モジュールの取り付け構造を示す斜視図である。なお、ここでは、サブ表示モジュールとして、デジタル表示の場合は数字を表示する８の字のセグメントを備える二色液晶表示モジュール１１１ａ、長針及び短針を示す放射線状のセグメントを備える二色液晶表示モジュール１１１ｂ、クオーツモジュール１１３を示しているが、モノクロ液晶表示モジュール１１０やカラー液晶表示モジュール１１２、ダミーモジュール１１４等も同様に取り付けることができる。
【００３４】
図３に示すように、蓋体２に窪んだサブ表示部装着部１１が設けられており、その底部に接続端子１１ａが設けられている。サブ表示モジュール１１０〜１１３の背面は、サブ表示部装着部１１に着脱されるように嵌合する形状をしている。また、サブ表示モジュール１１０〜１１３の背面には、接続端子１１ａと接触する図示しない金属端子が設けられている。
サブ表示モジュール１１０〜１１３は、サブ表示部装着部１１に挿入されて取り付けられ、背面の金属端子が接続端子１１ａと接触することで、携帯電話機１に認識される。
【００３５】
ダミーモジュール１１４は上記のサブ表示モジュール１１０〜１１３と同一の外観形状をしている。ダミーモジュール１１４には、ユーザの好みにより、アクセサリや写真等を収納することができる。
【００３６】
蓋体２及び本体３のヒンジ部８と反対側の端部は、平坦かつ平行に形成されている。なお、蓋体２よりも本体３のほうが長く、蓋体２と本体３とを重ね合わせた状態で蓋体２側から見た時にも、本体３の端部は見えている。したがって、携帯電話機を１５°開いた状態で水平面上に配置すると、本体３よりも蓋体２のほうが水平面となす角が大きくなり、蓋体２が水平面上に立って載置されているように見せることができる。
【００３７】
蓋体２及び本体３を半開状態にし、ヒンジ部８を上にして、蓋体２及び本体３の平坦な両端部を机等の平坦な台の上に接触させることで、携帯電話機１を立てて載置することができ、ハンズフリー通話等を行うことができる（ハンズフリーモード）。
【００３８】
本体３のヒンジ８側の端面には、図２（ｃ）に示すように、スロットカバー１９が設けられている。スロットカバー１９は後述するメモリーカードスロット１９０を隠している。また、本体３の折り畳んだ時に外側となる面には、図２（ｅ）に示すように、着信やメール受信を報知するとともに、ハンズフリーモードでは音声通話用となる報知用スピーカ１２、２つの充電用コネクタ端子１３、１３、さらに、ＰＣ等の外部機器と接続されデータ信号が送受される図示しないデータ送受用コネクタが設けられている。
【００３９】
図４は携帯電話機１の充電器１００を示す図であり、（ａ）は側面図、（ｂ）は平面図、（ｃ）は背面図、（ｄ）は底面図である。充電器の上面には前後２箇所に凹部が設けられている。前側の凹部は蓋体２が載置される蓋体載置部１７であり、後側の凹部は本体３が載置される本体載置部１８である。
【００４０】
本体載置部１８の側壁面の２箇所には、載置された本体３の充電用コネクタ端子１３、１３と当接するように充電用コネクタ端子１４、１４が設けられている。また、本体載置部１８には、本体３のデータ送受用コネクタと接するように、図示しないデータ送受用コネクタが設けられている。
【００４１】
また、充電器の後部には、ＰＣ等の外部機器に接続するためのＵＳＢ対応のコネクタ１５、外部電源と接続する充電用コネクタ１６等が設けられている。コネクタ１５は本体載置部１８のデータ送受用コネクタと導通しており、充電用コネクタ１６は充電用コネクタ端子１４、１４と導通している。
【００４２】
図５は充電器１００に携帯電話機１を載置した状態を示す図であり、（ａ）は正面図、（ｂ）は側面図である。このように、充電器１００の上に携帯電話機１を立てて載置することで、サブ表示モジュール１１０〜１１３で時計を表示して置き時計として用いたり、あるいはダミー表示部モジュール１１４によりアクセサリや写真等を展示したりすることができる。
【００４３】
図６は、この携帯電話機１の通信・画像・制御処理を示すブロック図である。無線部２０は、本体３に内蔵された内蔵アンテナ２００より受信した８００ＭＨｚ〜２．４ＧＨｚのＰＳＫ式の信号を復調、波形成形、デジタル波形処理して後段の制御部２１にデジタル波形信号を出力する。また、制御部２１から入力されたデジタル波形信号に基いて、内蔵アンテナ２００より出力される信号を生成する。
【００４４】
制御部２１は、信号処理部２２、計時情報記憶部２３、システムＲＯＭ２４、オーディオインターフェイス２５からなり、携帯電話機１全体を制御する。
【００４５】
信号処理部２２は、無線部２０より入力されたデジタル波形信号を、対応する通信方式（ＣＤＭＡ方式）に準拠した信号に変換し、音声信号であれば後段のオーディオインターフェイス２５に出力し、データ信号であればバスＢに出力する。また、オーディオインターフェイス２５から圧縮処理されたデジタル音声信号が入力されると、上記通信方式に沿ったデジタル信号に変換し、無線部２０へ出力する。
【００４６】
また、信号処理部２２はクロック（局部発振回路）２２１を内蔵し、このクロック２２１のカウントに基づいて生成される計時情報を計時情報記録部２３に出力する。なお、クロック２２は、無線通信によって受信される時刻情報に同期してカウントしてもよい。
【００４７】
計時情報記録部２３は、ユーザによる手動設定、もしくは、内蔵アンテナ２００を介して受信される外部の無線基地局からのパイロットチャンネル信号に含まれるシステム情報の時刻情報を記憶する。
【００４８】
システムＲＯＭ２４は、ユーザの加入者情報や端末識別情報を含む当該携帯電話機の基本的なシステムプログラムを記憶する。
【００４９】
オーディオインターフェイス２５は、音声通話用マイク７を介して入力された音声をＱＣＥＬＰ方式に準じたデジタル音声信号へ圧縮処理して信号処理部２２へ出力する。一方、信号処理部２２より出力された圧縮処理されたデジタル音声信号を復調して、音声通話用スピーカ４（ハンズフリーモードでは報知用スピーカ１２）より出力する。
【００５０】
上記の通信方式において、映像データと音声データとを多重化して無線通信される場合、これに応じてテレビ電話機能が実現する（テレビ電話モード）。すなわち、音声通話処理を行う一方で、同時に受信した映像データをメイン表示部またはサブ表示モジュール１１２へ出力するとともに、撮像レンズ９を介して撮像される映像データを送信処理する。
【００５１】
角度検出部２６は、蓋体２と本体３とを接続するヒンジ部８の回動角度を検出する回路部である。本実施の形態においては、蓋体２と本体３とが１５°開いた状態で、音声通話用スピーカ４と報知用スピーカ１２とを切り替える。
【００５２】
サブ表示部着脱検出部２７は、サブ表示部装着部１１にサブ表示モジュール１１０〜１１３、もしくはダミーモジュール１１４が装着された時に、金属端子が接続端子１１ａに接触することにより導通の有無を検出する回路部である。
【００５３】
スイッチ制御部３０は、サブ表示モジュール１１０〜１１３の背面の金属端子が接続端子１１ａに接触することで、モジュールＩＤ記憶部１１０１、１１１１、１１２１、１１３１からモジュールＩＤを取得し、駆動信号生成部２８と表示ドライバ２９との出力を選択的に切り替える。
【００５４】
駆動信号生成部２８は、サブ表示部装着部１１にサブ表示モジュール１１３が装着された場合に、サブ表示モジュール１１３のアナログ時計デバイスを駆動させるための駆動信号を生成する回路部である。すなわち、駆動信号生成部２８は、計時情報記憶部２３に記憶・逐次更新される計時情報を取得し、常に現在時刻が表示されるように短針（時針）、長針（分針）、秒針（三針式の場合）の位置を制御する。
【００５５】
表示ドライバ２９は、サブ表示部装着部１１にサブ表示モジュール１１０〜１１２（すなわちモノクロ、二色、カラーの液晶表示モジュールのみ）が装着された場合に、液晶表示デバイスを駆動させるための駆動信号を生成する回路部である。すなわち、表示ドライバ２９は、サブ表示部装着部１１にいずれのサブ表示モジュール１１０〜１１２が装着された場合でも、後述のドライバ情報記憶部３１から、装着されたモジュール、及び、後述する設定テーブル３２１の設定内容に対応するドライバ情報を取得し、モジュールに対応して時計を表示する表示情報を生成する。
なお、表示ドライバ２９は、メイン表示部５や照明用ＬＥＤ１０も制御する。
【００５６】
ドライバ情報記憶部３１は、モノクロ液晶用ドライバ情報（アナログ表示）３１１、モノクロ液晶用ドライバ情報（デジタル表示）３１２、二色液晶用ドライバ情報（アナログ表示）３１３、二色液晶用ドライバ情報（デジタル表示）３１４、カラー液晶用ドライバ情報（アナログ表示）３１５、カラー液晶用ドライバ情報（デジタル表示）３１６が記憶されている。各ドライバ情報にはドライバＩＤが付されている。
【００５７】
ＲＡＭ３２は、アドレス帳データやメールデータ、画像ファイル等を格納・管理するとともに、図７に図示される設定テーブル３２１を備える。設定テーブル３２１には、モジュールＩＤ、デバイス、ユーザ所望の時刻表示形式の設定内容、さらに、図示しないがドライバＩＤ等が対応して記憶されている。
【００５８】
アプリケーション用フラッシュＲＯＭ３３は、画像処理アプリケーションプログラムを含む、各種ソフトウェアを格納する。
ＣＣＤ３４は撮像レンズ９を介して取得した光強度をフレーム単位で逐次ＲＧＢの電流値に変換し、ＤＳＰ３５出力する。ＤＳＰ３５はＣＣＤ３４より入力されたＲＧＢの電流値を輝度色差信号データに変換し、更には、ＪＰＥＧ、ＭＰＥＧ等の信号圧縮を行ってバスＢに出力する。
【００５９】
音源ＩＣ３６は、バスＢより入力される音声信号（メロディ情報）を読み込み、出力すべき楽音情報データを出力し、Ｄ／Ａコンバータ・ＡＭＰ３７に出力する。スピーカ制御部１２０は、１５°開いた状態においてハンズフリーモードを実現させるために、着信を検出してからオフフック検出（サイドキー６０１、６０２の操作検出）をするまでは、Ｄ／Ａコンバータ・ＡＭＰ３７からの出力を優先し、オフフック検出の後は、オーディオインターフェイス２５からの出力を優先するように切り替え制御を行う。
【００６０】
コネクタインターフェイス１３０は、充電器１００の充電用コネクタ端子１４、１４と本体３の充電用コネクタ端子１３、１３との接続を検出に応じた電源供給の制御や、ＰＣ等の外部機器からデータ送受用コネクタへのデータ入出力を制御する回路部である。
【００６１】
カードインターフェイス１９２は、カードスロット１９０に装着されるメモリーカード１９１を検出し、メモリーカード１９１内の情報（データ）と携帯電話機１本体が記憶する情報（データ）との送受を行う。
【００６２】
次に、本発明の携帯電話機１において、サブ表示モジュール１１０〜１１３を携帯電話機１本体に装着し、表示情報を表示させる仕組みについて説明する。
【００６３】
まず、サブ表示モジュール１１０〜１１３の背面の金属端子が接続端子１１ａに接触すると、スイッチ制御部３０がモジュールＩＤを読み出す。モジュールＩＤに基づいてサブ表示モジュール１１０〜１１２が認識された場合には、表示ドライバ２９が設定テーブル３２１の設定内容に対応したドライバ情報を、ドライバ情報記憶部３１から取得し、サブ表示モジュール１１０〜１１２の各液晶表示デバイスを駆動して表示情報を表示させる。
【００６４】
カラー液晶表示モジュール１１２を装着したとき、表示ドライバ２９は、スイッチ制御部３０が取得したモジュールＩＤ「０００１」から、設定テーブル３２１の設定内容に対応してカラー液晶デバイスと判別し、カラー液晶用ドライバ情報（アナログ表示）３１５またはカラー液晶用ドライバ情報（デジタル表示）３１６を取得し、いずれかのドライバ情報によりカラー液晶表示デバイスを駆動して表示情報を表示させる。
【００６５】
なお、ハンズフリーモードにおいて、テレビ電話モードの場合には、通信相手先より送信される映像データや、後述するＣＣＤ３４及びＤＳＰ３５を介して入力される映像データを選択的に表示することができる。
【００６６】
フルドットの二色液晶表示デバイスを備える二色液晶表示モジュール１１１を装着したとき、表示ドライバ２９は、二色液晶用ドライバ情報（アナログ表示）３１３または二色液晶用ドライバ情報（デジタル表示）３１４を取得し、いずれかのドライバ情報により二色液晶表示デバイスを駆動して表示情報を表示させる。
【００６７】
なお、二色液晶表示モジュール１１１が固定的なセグメント（デジタル表示の場合は数字を表示する８の字のセグメント、アナログ表示の場合は長針及び短針を示す放射線状のセグメント）で構成される二色液晶表示デバイスを備える場合、表示ドライバ２９は、スイッチ制御部３０が取得したモジュールＩＤ（デジタル表示の場合は「０００２」、アナログ表示の場合は「０００３」）により、セグメントを判断し、対応するドライバ情報（デジタル表示またはアナログ表示）に基づいて表示情報を表示させる。
【００６８】
モノクロ液晶表示モジュール１１０を装着したとき、表示ドライバ２９は、スイッチ制御部３０が取得したモジュールＩＤ「０００４」に基づき、モノクロ液晶用ドライバ情報（アナログ表示）３１１またはモノクロ液晶用ドライバ情報（デジタル表示）３１２を取得し、いずれかのドライバ情報によりモノクロ液晶表示デバイスを駆動して表示情報を表示させる。
【００６９】
図８は、携帯電話機１をユーザが操作することにより、ユーザ所望の時刻表示形式を設定し、設定テーブル３２１に記憶する動作を示すフローチャートである。まず、ユーザの操作により、時刻表示形式の設定内容を一覧表示させる指示が出されると、スイッチ制御部３０がモジュールＩＤを設定テーブル３２１と照会し、モジュールＩＤに対応するドライバＩＤを取得する（ステップＳ１３０）。次に、表示ドライバ２９がドライバ情報記憶部３１からドライバＩＤに対応するドライバ情報を読み込む（ステップＳ１３１）。
ドライバＩＤに対応するドライバ情報があれば、各ドライバ情報に対応する設定メニュー（図９参照）をメイン表示部５に表示する（ステップＳ１３２）。
【００７０】
設定メニューが表示されたら、ユーザの入力・選択操作に応じて設定テーブル３２１の作成を行う（ステップＳ１３３）。ユーザによって登録またはキャンセルの決定がされるまで繰り返す。ユーザによって決定がされたら（ステップＳ１３４）、設定テーブル３２１を記憶・更新処理を行う（ステップＳ１３５）。ここで、ユーザの決定が登録であれば、更新された設定テーブル３２１を記憶し、ユーザの決定がキャンセルであれば、従前の設定テーブル３２１を記憶する。その後、フローチャートの先頭にリターンする。
【００７１】
一方、モジュールＩＤに対応するドライバ情報がなければ、警告表示をした上で（ステップＳ１３６）、プログラムの先頭にリターンする。
【００７２】
図９は各サブ表示モジュール１１０〜１１２を携帯電話機１に装着した時にメイン表示部５に表示される画面であり、（ａ）はカラー液晶表示モジュール１１２、（ｂ）、（ｃ）は二色液晶表示モジュール１１１、（ｄ）はモノクロ液晶表示モジュール１１０を装着したときに示される画面である。
【００７３】
メイン表示部５の上部には、電波強度アイコン５１、電池残量アイコン５２、現在時刻５３等が表示されている。また、メイン表示部５の下部には、キャンセル指示エリア６１、登録指示エリア６２、サブメニュー表示指示エリア６３が表示されている。設定メニューエリア５４は、メイン表示部５の中央に表示される。
【００７４】
カラー液晶表示モジュール１１２を装着した時には、モジュールＩＤ「０００１」が認識され、図９（ａ）に示す設定メニューエリア５４が表示される。設定メニューエリア５４の内部には、モジュール表示エリア５５、表示形式選択エリア５６、文字色選択エリア５７、長針／短針色選択エリア５８、背景色選択エリア５９、背景画像選択エリア６０が表示される。
【００７５】
モジュール表示エリア５５には、「カラー液晶モジュール」と表示される。表示形式選択エリア５６には、「デジタル」「アナログ」の選択エリアが表示され、ユーザはカーソルキーの左右操作により、いずれかの表示形式を選択することができる。
【００７６】
文字色選択エリア５７は、表示形式選択エリア５６で「デジタル」を選択したときに有効となり、メニューバー表示されるいずれかの文字色をカーソルキーの上下操作により選択・決定することができる。
【００７７】
長針／短針色選択エリア５８は、表示形式選択エリア５６で「アナログ」を選択したときに有効となり、メニューバー表示されるいずれかの長針／短針の色の組み合わせをカーソルキーの上下操作により選択・決定することができる。
【００７８】
背景色選択エリア５９では、メニューバー表示されるいずれかの背景色をカーソルキーの上下操作により選択・決定することができる。背景画像選択エリア６０では、背景とする画像ファイルのファイル名を選択・決定することができる。
【００７９】
二色液晶表示モジュール１１１を装着した時には、図９（ｂ）、（ｃ）に示すように、モジュール表示エリア５５に「二色液晶モジュール」と表示される。
固定的なセグメントで構成される二色液晶表示デバイスを備える二色液晶表示モジュール１１１を装着した時は、二色液晶表示デバイスがデジタル表示の場合にはモジュールＩＤ「０００２」が認識され、図９（ｂ）に示す設定メニューエリア５４が表示される。一方、二色液晶表示デバイスがアナログ表示の場合にはモジュールＩＤ「０００３」が認識され、図９（ｃ）に示す設定メニューエリア５４が表示される。
なお、フルドットの二色液晶デバイスを備える二色液晶表示モジュール１１１を装着した時には、図９（ｂ）または（ｃ）の画面が表示される。
【００８０】
表示形式選択エリア５６で「デジタル」を選択した場合、またはデジタル表示の二色液晶表示モジュール１１１を装着した場合には、図９（ｂ）に示すように、文字色選択エリア５７、背景色選択エリア５９が表示されるが、長針／短針色選択エリア５８、背景画像選択エリア６０は設定できないと判断され、暗転表示される。
【００８１】
文字色選択エリア６５には、「赤  青  黒」と文字が表示されており、ユーザはカーソルキーの左右操作によりいずれかの文字を選択し、赤、青、黒の三色のいずれかの文字色を選択することができる。また、背景色選択エリア６６には、「赤  青  黒  無」と文字が表示されており、ユーザはカーソルキーの左右操作によりいずれかの文字を選択し、赤、青、黒の三色または無色のいずれかの背景色を選択することができる。選択された文字色、背景色を示す文字にはアンダーバーが表示される。
【００８２】
表示形式選択エリア５６で「アナログ」を選択した場合、またはアナログ表示の二色液晶表示モジュール１１１を装着した場合には、図９（ｃ）に示すように、文字色選択エリア５７は設定できないと判断され、暗転表示されるとともに、長針色選択エリア６７、短針色選択エリア６８、背景色選択エリア６９が表示される。
【００８３】
長針色選択エリア６７、短針色選択エリア６８、背景色選択エリア６９には、「青  赤  黒  無」と文字が表示されており、ユーザはカーソルキーの左右操作によりいずれかの文字を選択し、赤、青、黒の三色または無色のいずれかの長針色、短針色、背景色を選択することができる。選択された長針色、短針色、背景色を示す文字にはアンダーバーが表示される。
【００８４】
モノクロ液晶表示モジュール１１０を装着した時には、図９（ｄ）に示すように、モジュール表示エリア５５に「モノクロ液晶モジュール」と表示される。モノクロ液晶表示モジュール１１０を装着した時には、表示形式選択エリア５６、及び背景色選択エリア５９は表示されるが、文字色選択エリア５７、長針／短針色選択エリア５８、背景画像選択エリア６０は設定できないと判断され、暗転表示される。
【００８５】
背景色選択エリア７１には、「無  黒」と文字が表示されており、ユーザはカーソルキーの左右操作によりいずれかの文字を選択し、無色または黒色のいずれかの背景色を選択することができる。なお、背景色に無色を選択すると通常表示、黒を選択すると反転表示になる。選択された背景色を示す文字にはアンダーバーが表示される。
【００８６】
なお、これらの液晶表示モジュール１１０〜１１２は、待受状態では現在時刻を表示するが、着信やメール受信等の通信状態を検出した場合は、受信した発信者情報に基づく情報を表示することも可能である。例えば、モノクロ液晶表示モジュール１１０、二色液晶表示モジュール１１１の場合は、発信者の名前等、カラー液晶表示モジュールの場合は、発信者を特定する画像情報等の、後述するＲＡＭ３２のアドレス帳に記憶される情報を表示することができる。
【００８７】
一方、クオーツモジュール１１３を装着したときには、モジュールＩＤに基づいてサブ表示モジュール１１３が認識される。するとスイッチ制御部３０により、出力が駆動信号生成部２８からの駆動信号に切り替えられ、アナログ時計デバイスを駆動させる。
【００８８】
なお、ダミーモジュール１１４は、その背面に金属端子が設けられていないため、装着した時にサブ表示部着脱検出部２７によって着脱が検出されず、駆動信号生成回路２８や表示ドライバ２９のサブ表示モジュールを駆動するドライバを動作させない。したがって、無駄な電力消費を省くことができる。
【００８９】
携帯電話機１の蓋体２及び本体３の開閉に対応した動作について説明する。図１０は、蓋体２と本体３との角度に対応した一連の動作を示すフローチャートである。まず、蓋体２と本体３とを閉じた状態において、角度検出部２６により、蓋体２の開閉を検出する（ステップＳ１）。
【００９０】
蓋体２と本体３とが開いていない場合には、サブ表示モジュール１１０〜１１３の着脱を検出する（ステップＳ２）。サブ表示モジュール１１０〜１１３が検出されなければ、フローチャートの先頭にリターンする。
【００９１】
サブ表示モジュール１１０〜１１３が検出された場合には、装着されたサブ表示モジュールのモジュールＩＤを検出する（ステップＳ３）。モジュールＩＤが検出されなければ、制御信号の供給を停止し（ステップＳ８）、フローチャートの先頭にリターンする。
【００９２】
モジュールＩＤが検出された場合には、モジュールＩＤがＲＡＭ３２の設定テーブル３２１にモジュールＩＤが設定されているか否かを判断する（ステップＳ４）。モジュールＩＤが設定テーブル３２１に設定されていなければ、設定を促す表示をする（ステップＳ９）とともに、フローチャートの先頭にリターンする。
【００９３】
モジュールＩＤが設定テーブル３２１に設定されている場合には、対応するドライバ情報をドライバ情報記憶部３１から読み出し（ステップＳ６）、ドライバ情報に基づいて表示情報を表示し（ステップＳ７）、フローチャートの先頭にリターンする。
【００９４】
一方、蓋体２と本体３とが開いている場合には、角度検出部２６により、さらにその角度が１５°以下であるか否かを判断する（ステップＳ１０）。１５°以下の場合には、図１１に示すハンズフリーモードへ移行する（（１））。
【００９５】
蓋体２と本体３とが１５°よりも大きく開いている場合には、メイン表示部５の電源をオンにする（ステップＳ１１）。そして、サブ表示モジュールのモジュールＩＤが設定テーブル３２１にあるか否かを判断し（ステップＳ１２）、ない場合には、その他のモード処理（ステップＳ１５）を行う。
【００９６】
モジュールＩＤが設定テーブル３２１にある場合には、設定テーブル３２１からモジュールＩＤに対応する設定メニューを検出する（ステップＳ１３）。設定メニューが検出された場合には、サブ表示モジュールの設定処理（ステップＳ１４、図８参照）を行い、検出されない場合には、その他のモード処理（ステップＳ１５）を行う。
【００９７】
次に、ハンズフリーモードの動作について説明する。図１１はハンズフリーモードの動作を示すフローチャートである。
【００９８】
まず、角度検出部２６により、蓋体２と本体３とが開いており、その角度が１５°以下であることを検出すると、スピーカ制御部１２０に対してスピーカ切り替え信号を出力し、着信時の音声通話用スピーカ４から報知用スピーカ１２へ切り替える（ステップＳ１６）。
【００９９】
次に、コネクタインターフェイス１３０により、充電器１００の充電用コネクタ端子１４、１４と本体３の充電用コネクタ端子１３、１３との接続を検出し、携帯電話機１が充電器１００へ装着されていることを検出する（ステップＳ１７）。
【０１００】
充電器１００への装着を検出しなかった場合には、コネクタインターフェイス１３０により、データ送受用コネクタからのデータ信号の送受を検出する（ステップＳ１８）。データ信号の送受を検出した場合は、データ通信モードとなり、データ信号の処理を行う（ステップＳ１９）。その後、着信を検出する（ステップＳ２０）まで、直前の処理を継続（ステップＳ２１）する待受け状態で待機する。データ信号の送受を検出しなかった場合は、待受け状態で待機する。
【０１０１】
充電器１００への装着を検出した場合は、充電処理を行う（ステップＳ２２）。さらに、コネクタインターフェイス１３０により、データ送受用コネクタからのデータ信号の送受を検出する（ステップＳ２３）。データ信号の送受を検出した場合は、データ通信モードとなり、充電処理を継続しながらデータ信号の処理を行う（ステップＳ２４）。その後、着信を検出する（ステップＳ２０）まで、直前の処理を継続（ステップＳ２１）する待受け状態で待機する。データ信号の送受を検出しなかった場合は、待受け状態で待機する。
【０１０２】
ハンズフリーモードで着信を検出したら、音声着信モードに切り替える。すなわち、報知用スピーカ１２への出力を、Ｄ／Ａコンバータ・ＡＭＰ３７からのものに切り替え、着信を報知するとともに、サブ表示部に発信者の情報を表示しユーザに通知する（ステップ２５）。
【０１０３】
次いで、ユーザによるサイドキー６０２の操作を検出する（ステップＳ２６）。サイドキー６０２の操作を検出したら、オフフック処理を行う（ステップＳ２７）。すなわち、報知用スピーカ１２への出力を、オーディオインターフェイス２５からのものに切り替える。次いで、ハンズフリー通話を開始する（ステップＳ２８）。通話終了が検出（ステップＳ２９）までハンズフリー通話を継続し、通話終了が検出されたら、ステップＳ２１に戻り、待受け状態で待機する。
【０１０４】
ユーザによるサイドキー６０２の操作を検出しなかった場合には、ユーザによるサイドキー６０１の操作を検出する。サイドキー６０１の操作を検出したら、ＣＣＤ３４、ＤＳＰ３５による撮影処理を開始し（ステップＳ３１）、テレビ電話モードでの通話状態（ステップＳ３２）を開始する。通話終了が検出（ステップＳ３３）までテレビ電話モードでの通話状態を継続し、通話終了が検出されたら、ステップＳ２１に戻り、待受け状態で待機する。
【０１０５】
ユーザによるサイドキー６０１の操作を検出しなかった場合には、ユーザによるサイドキー６０３の操作を検出する（ステップＳ３４）。サイドキー６０３の操作を検出したら、オンフック状態のまま、留守録応答して通話終了の処理をし（ステップＳ３５）、ステップＳ２１に戻り、待受け状態で待機する。
【０１０６】
ユーザによるサイドキー６０３の操作を検出しなかった場合には、発信者による着信要求が停止するまでステップＳ２５に戻り（ステップＳ３６）、ユーザに着信を通知する。着信要求が停止した場合には、ステップＳ２１に戻り、待受け状態で待機する。
【０１０７】
このように、本発明の携帯電話機１では、従来の閉状態、開状態の２態様に加え、ハンズフリーモードを合わせた３態様で使用することができ、ハンズフリーモードの携帯電話機を置き時計として機能させることができる。
【０１０８】
図１２は本発明の携帯電話機１の変形例の通信・画像・制御処理を示すブロック図である。図１２において、携帯電話機１に、温度センサ３８１、圧力センサ３８２等の外観に表れない環境センサ３８が設けられている。このように、温度センサ３８１、圧力センサ３８２等から温度や圧力の情報をバスＢを介して表示ドライバ２９に出力させ、サブ表示部に温度や圧力の情報を表示させてもよい。
【０１０９】
図１３は、他の形態のサブ表示モジュール１１５、１１６の構成を示す斜視図である。図１３（ａ）に示したサブ表示モジュール１１５は、時計を表示する液晶表示デバイス１１５２と、文字または図形を表示する透明な液晶表示デバイス１１５３とが重ね合わせられている。ここで、液晶表示デバイス１１５２は、デジタル表示の８の字のセグメントと、アナログ表示の放射線状のセグメントとから構成される二色液晶表示デバイスである。また、透明な液晶表示デバイス１１５３としては、モノクロ液晶表示デバイスまたは二色液晶表示デバイスが用いられている。
【０１１０】
サブ表示モジュール１１５を装着した場合には、スイッチ制御部は表示ドライバ２９に、二色液晶用ドライバ情報（アナログ表示）３１３、二色液晶用ドライバ情報（デジタル表示）３１４を取得させる。表示ドライバ２９は、各ドライバ情報により液晶表示デバイス１１５２を駆動して時計を表示させるとともに、他のドライバにより透明な液晶表示デバイス１１５３を駆動してメール受信または着信の情報や、温度や圧力の情報等を表示させる。
【０１１１】
また、図１３（ｂ）に示したものは、二針式または三針式の機械式（クオーツ）のアナログ時計デバイス１１６２と、文字または図形を表示する透明な液晶表示デバイス１１６３とが重ね合わせられている。ここで、アナログ時計デバイス１１６２は、クオーツモジュール１１３のものと同様であり、液晶表示デバイス１１６３は、サブ表示モジュール１１５のものと同様である。
【０１１２】
液晶表示デバイス１１５３、１１６３は何も表示していない状態では透明である。このため、待受け時には、液晶表示デバイス１１５２またはアナログ時計デバイス１１６２を液晶表示デバイス１１５３、１１６３に透かして見せている。一方、メール受信時や着信時には、液晶表示デバイス１１５２またはアナログ時計デバイス１１６２による時計表示と重ね合わせて、メール受信や着信を知らせる情報を液晶表示デバイス１１５３、１１６３に表示する。このため、サブ表示部の全面に時計を表示し、置き時計として機能させながら、液晶表示デバイス１１５３、１１６３によりメール受信や着信を知らせることができる。
【０１１３】
以上の実施の形態においては、折り畳み式の携帯電話機について説明したが、本発明の電子機器は携帯電話機に限らず、例えばＰＤＡやその他の電子機器においても用いることができる。
また、以上の実施の形態においては、所定の角度θを１５°として説明したが、本発明はこれに限らず、
メイン表示部やサブ表示部の形状等、その他の具体的な細部構造についても適宜変更可能であることはもちろんである。
【図面の簡単な説明】
【０１１４】
【図１】本発明の実施の形態の携帯電話機の開いた状態を示す外観図であり、（ａ）は正面図、（ｂ）は（ａ）の右側から見た側面図である。
【図２】図１の携帯電話機の閉じた状態を示す外観図であり、（ａ）は蓋体側から見た正面図、（ｂ）は（ａ）の右側から見た側面図、（ｃ）は（ａ）のヒンジ側から見た側面図、（ｄ）は（ａ）のヒンジと反対側から見た側面図、（ｅ）は本体側から見た背面図である。
【図３】図１の携帯電話機の蓋体のサブ表示モジュールの取り付け構造を示す斜視図である。
【図４】図１の携帯電話機の充電器を示す図であり、（ａ）は側面図、（ｂ）は平面図、（ｃ）は背面図、（ｄ）は底面図である。
【図５】図１の携帯電話機を図４の充電器に載置した状態を示す図であり、（ａ）は正面図、（ｂ）は側面図である。
【図６】携帯電話機の通信・画像・制御処理を示すブロック図である。
【図７】図６のＲＡＭ３２に備えられた設定テーブルを示す図である。
【図８】携帯電話機をユーザが操作することにより、ユーザ所望の時刻表示形式を設定し、図７の設定テーブルに記憶する動作を示すフローチャートである。
【図９】サブ表示モジュールを携帯電話機に装着した時にメイン表示部に表示される画面であり、（ａ）はカラー液晶表示モジュール、（ｂ）、（ｃ）は二色液晶表示モジュール１１１、（ｄ）はモノクロ液晶表示モジュールを装着したときに示される画面である。
【図１０】蓋体と本体との角度に対応した携帯電話機の一連の動作を示すフローチャートである。
【図１１】ハンズフリーモードにおける携帯電話機の動作を示すフローチャートである。
【図１２】携帯電話機の通信・画像・制御処理を示すブロック図である。
【図１３】（ａ）、（ｂ）ともにサブ表示モジュールの構成を示す斜視図である。
【符号の説明】
【０１１５】
１     携帯電話機（計時情報表示装置）
２     蓋体（蓋部）
３     本体（本体部）
５     メイン表示部
８     ヒンジ部
１１   サブ表示部装着部
１７   蓋体載置部
１８   本体載置部
２０   無線処理部（無線通信手段）
２１   制御部（計時情報生成手段、計時情報出力手段、判別手段、転置検出手段、第１の表示制御手段、第２の表示制御手段）
２２   信号処理部（計時手段）
２６   角度検出部（角度検出手段）
２８   駆動信号生成部（計時情報出力手段）
２９   表示ドライバ（計時情報出力手段）
３０   スイッチ制御部
３１   ドライバ情報記憶部（表示形式記憶手段）
３８   環境センサ（環境情報取得手段）
１００ 充電器
１１０〜１１４       サブ表示モジュール（表示部）
１３０ コネクタインターフェイス
２００ 無線アンテナ（無線通信手段）
２２１ クロック（計時手段）
１１０１、１１１１、１１２１、１１３１    モジュールＩＤ記憶部
１１５２、１１５３、１１６３       液晶表示デバイス（表示部）
１１６２      アナログ時計デバイス（表示部）
【図１】
2006105739.tif 000003
【図２】
2006105739.tif 000004
【図３】
2006105739.tif 000005
【図４】
2006105739.tif 000006
【図５】
2006105739.tif 000007
【図６】
2006105739.tif 000008
【図７】
2006105739.tif 000009
【図８】
2006105739.tif 000010
【図９】
2006105739.tif 000011
【図１０】
2006105739.tif 000012
【図１１】
2006105739.tif 000013
【図１２】
2006105739.tif 000014
【図１３】
2006105739.tif 000015